(57)【特許請求の範囲】
【請求項１】
すりおろし部や薄切り部などの食材加工部に対して被加工食材を摺動する際に、この被加工食材を挟持若しくは押さえ付ける食材加工用補助具であって、基端側に枢着部若しくはヒンジ部若しくは折返し屈曲部を設けて先端側を開閉挟持部とするトング様体で構成し、このトング様体の前記開閉挟持部を構成する一対の各開閉可動部に、前記摺動面方向と直交する方向に立設し対向内面を挟持面とする挟持用立設部と、前記食材加工部と対向する対向面を押さえ付け面とした押圧用底部とを設けて、前記挟持用立設部に指を掛けて前記開閉可動部を閉動操作することで、この挟持用立設部の前記挟持面でこの開閉可動部間に貫通配設させた被加工食材を挟持すると共に、被加工食材をこの開閉可動部間に貫通配設させない場合には被加工食材を上方から前記押圧用底部の押さえ付け面で押さえ付けるように構成し、この開閉可動部の各先端部の対向内面に、前記トング様体の基端側を前記食材加工部に対して上にしこの先端部を下にした際、この食材加工部上の被加工食材を挟持しつつ食材加工部へ押さえ付ける挟持押さえ付け用先端挟持面を設けたことを特徴とする食材加工用補助具。
【請求項２】
前記挟持押さえ付け用先端挟持面は、前記各開閉可動部の前記各挟持用立設部の先端部に対向状態に夫々形成され、先端側程対向間隔が広くなるハ字状に対向する傾斜面としたことを特徴とする請求項１記載の食材加工用補助具。
【請求項３】
対向内面を前記挟持面とした前記開閉可動部の前記挟持用立設部の外面を指掛け面とし、この指掛け面に指を掛けて閉動操作若しくは把持したこの指の下部に前記押圧用底部を配設した構成としたことを特徴とする請求項１，２のいずれか１項に記載の食材加工用補助具。
【請求項４】
基部同士を枢着した前記開閉可動部の対向内側に前記挟持用立設部を設けると共に、この挟持用立設部に連設して外側へ突出状態に前記押圧用底部を設け、この押圧用底部の外端部に折り返し立設部を連設した構成として、前記挟持用立設部の外面に指を掛けて把持したこの指を覆う指保護凹部を前記開閉可動部に設けたことを特徴とする請求項１〜３のいずれか１項に記載の食材加工用補助具。
【請求項５】
前記開閉可動部の前記挟持用立設部の対向内面に夫々設けた前記挟持面は、対向間隔が下端側程広がる傾斜挟持面を有する形状に形成したことを特徴とする請求項１〜４のいずれか１項に記載の食材加工用補助具。
【発明の詳細な説明】
【技術分野】
【０００１】
本発明は、おろし器を用いて野菜をすりおろしたり、スライサーを用いて野菜をスライスしたりする際に使用する食材加工用補助具に関するものである。
【背景技術】
【０００２】
野菜などの食材をすりおろしたりスライス（薄切り）する際には、食材を手で掴んでおろし器やスライサーに押し付けながら摺動させるが、食材が小さくなるにつれておろし器やスライサーで指先を傷付けてしまい易くなる。
【０００３】
そこで従来、特開平１０−２１６０２８号（特許文献１）のように、すりおろしやスライスを行う際に食材を掴むための補助具が提案されている。
【０００４】
この特許文献１は、Ｕ字状をなす手持握り部の両先端部が屈曲自在な押当部に形成されると共に、この各押当部の内面に食材に食い込ませる多数の突起が設けられた構成で、両先端の押当部で食材を掴むようにすることで、おろし器やスライサーに押し付けても直接手がおろし器やスライサーに触れることを防止して安全にすりおろしたりスライスすることができる。
【先行技術文献】
【特許文献】
【０００５】
【特許文献１】特開平１０−２１６０２８号公報
【発明の概要】
【発明が解決しようとする課題】
【０００６】
本発明は、前記特許文献１のような食材を掴むための補助具の実用性を更に追求したもので、指先を保護しつつ様々な形状の食材を挟持若しくは押さえ付けてすりおろしたり、スライスすることができる実用性に優れた食材加工用補助具を提供するものである。
【課題を解決するための手段】
【０００７】
添付図面を参照して本発明の要旨を説明する。
【０００８】
すりおろし部や薄切り部などの食材加工部１に対して被加工食材２を摺動する際に、この被加工食材２を挟持若しくは押さえ付ける食材加工用補助具であって、基端側に枢着部３若しくはヒンジ部若しくは折返し屈曲部を設けて先端側を開閉挟持部４とするトング様体Ａで構成し、このトング様体Ａの前記開閉挟持部４を構成する一対の各開閉可動部５に、前記摺動面方向と直交する方向に立設し対向内面を挟持面６とする挟持用立設部７と、前記食材加工部１と対向する対向面を押さえ付け面８とした押圧用底部９とを設けて、前記挟持用立設部７に指を掛けて前記開閉可動部５を閉動操作することで、この挟持用立設部７の前記挟持面６でこの開閉可動部５間に貫通配設させた被加工食材２を挟持すると共に、被加工食材２をこの開閉可動部５間に貫通配設させない場合には被加工食材２を上方から前記押圧用底部９の押さえ付け面８で押さえ付けるように構成し、この開閉可動部５の各先端部の対向内面に、前記トング様体Ａの基端側を前記食材加工部１に対して上にしこの先端部を下にした際、この食材加工部１上の被加工食材２を挟持しつつ食材加工部１へ押さえ付ける挟持押さえ付け用先端挟持面10を設けたことを特徴とする食材加工用補助具に係るものである。
【０００９】
また、前記挟持押さえ付け用先端挟持面10は、前記各開閉可動部５の前記各挟持用立設部７の先端部に対向状態に夫々形成され、先端側程対向間隔が広くなるハ字状に対向する傾斜面11としたことを特徴とする請求項１記載の食材加工用補助具に係るものである。
【００１０】
また、対向内面を前記挟持面６とした前記開閉可動部５の前記挟持用立設部７の外面を指掛け面12とし、この指掛け面12に指を掛けて閉動操作若しくは把持したこの指の下部に前記押圧用底部９を配設した構成としたことを特徴とする請求項１，２のいずれか１項に記載の食材加工用補助具に係るものである。
【００１１】
また、基部同士を枢着した前記開閉可動部５の対向内側に前記挟持用立設部７を設けると共に、この挟持用立設部７に連設して外側へ突出状態に前記押圧用底部９を設け、この押圧用底部９の外端部に折り返し立設部13を連設した構成として、前記挟持用立設部７の外面に指を掛けて把持したこの指を覆う指保護凹部14を前記開閉可動部５に設けたことを特徴とする請求項１〜３のいずれか１項に記載の食材加工用補助具に係るものである。
【００１２】
また、前記開閉可動部５の前記挟持用立設部７の対向内面に夫々設けた前記挟持面６は、対向間隔が下端側程広がる傾斜挟持面15を有する形状に形成したことを特徴とする請求項１〜４のいずれか１項に記載の食材加工用補助具に係るものである。
【発明の効果】
【００１３】
本発明は上述のように構成したから、例えば、長ネギやキュウリなどの細長い被加工食材は、各開閉可動部間に確実に挟持して食材加工部で加工することができ、大根などの太くて開閉可動部間に挟持することが困難な被加工食材は、上方から押圧用底部の押さえ付け面で押さえ付けて食材加工部で加工することができ、各開閉可動部間で挟持しにくかったり挟持できても食材加工部で加工しづらいような非常に細い被加工食材や非常に小さい被加工食材は、トング様体の基端側を食材加工部に対して上にしこの先端部を下にして、開閉可動部の各先端部の対向内面に設けた挟持押さえ付け用先端挟持面で挟持しつつ食材加工部へ押さえ付けて加工することができ、しかも、上記いずれの使用態様での食材加工も、指が押圧用底部によって保護された状態若しくは指を食材加工部から離した状態で安全に行うことができ、従って指先を保護しつつ様々な形状の食材を挟持若しくは押さえ付けてすりおろしたり、スライスすることが可能となる極めて実用性に優れた食材加工用補助具となる。
【００１４】
また、請求項２記載の発明においては、ハ字状に対向する挟持押さえ付け用先端挟持面によって、この挟持押さえ付け用先端挟持面で挟持した被加工食材を食材加工部へ押さえ付けた際の押さえ付け力が被加工食材に良好に加わるために、非常に細い被加工食材や非常に小さい被加工食材であっても良好に食材加工部で加工可能となる一層実用性に優れた構成の食材加工用補助具となる。
【００１５】
また、請求項３，４記載の発明においては、指掛け面に掛けた指が押圧用底部によって確実に保護される構成を簡易に設計実現可能となり、特に請求項４記載の発明によれば、指を指保護凹部内に配設して保護することができるので、極めて高い安全性を発揮することになる。
【００１６】
また、請求項５記載の発明においては、ショウガやニンニクなどの丸い形をした被加工食材を、対向間隔が下端側程広がる傾斜挟持面で安定的に押さえ付けて食材加工部で加工することができる一層実用性に優れた構成の食材加工用補助具となる。
【図面の簡単な説明】
【００１７】
【図１】本実施例を示す斜視図である。
【図２】本実施例を示す分解斜視図である。
【図３】本実施例を示す側面図である。
【図４】本実施例の開閉可動部間に、太めの被加工食材を貫通配設して挟持した使用状態を示す説明平面図である。
【図５】本実施例の開閉可動部間に、細めの被加工食材を貫通配設して挟持した使用状態を示す説明正面図である。
【図６】本実施例の押さえ付け面で、被加工食材を横設状態にして上方から食材加工部に押さえ付けた使用状態を示す説明正面図である。
【図７】本実施例のトング様体を、その基端側を食材加工部に対して上にし先端部を下にして開閉挟持部で小さな被加工食材を挟持した使用状態を示す説明正面図である。
【図８】本実施例の傾斜挟持面で、丸形の被加工食材を上方から食材加工部に押さえ付けた使用状態を示す説明正面図である。
【発明を実施するための形態】
【００１８】
好適と考える本発明の実施形態を、図面に基づいて本発明の作用を示して簡単に説明する。
【００１９】
本発明のトング様体Ａは、一対の開閉可動部５に設けた挟持用立設部７に指を掛けて片手で開閉挟持部４を閉動操作できる。
【００２０】
例えば、長ネギやキュウリのような細長い被加工食材２の場合は、一対の開閉可動部５の対向間隔を開き、この各開閉可動部５間に被加工食材２を貫通配設して閉動操作すると、挟持用立設部７の対向内面の挟持面６で被加工食材２を挟んで各開閉可動部５間に被加工食材２を挟持することができる。
【００２１】
また、この際、開閉挟持部４は、トング様体Ａの基端側に設けた枢着部３若しくはヒンジ部若しくは折り返し屈曲部を介して一対の開閉可動部５が開閉可能であるので、開閉可動部５間の間隔を被加工食材２の形や大きさに応じて調整して被加工食材２を確実に挟持可能である。
【００２２】
このようにして各開閉可動部５間に貫通配設して挟持した被加工食材２を、すりおろし部や薄切り部などの食材加工部１で摺動して加工できる。
【００２３】
また、例えば、大根などの太くて各開閉可動部５間に貫通配設して挟持することが困難な被加工食材２の場合は、例えば食材加工部１上に載置した被加工食材２を、この食材加工部１との対向面である押圧用底部９の押さえ付け面８で上方から押さえ付けることができる。
【００２４】
このようにして押さえ付け面８で押さえ付けた被加工食材２を、すりおろし部や薄切り部などの食材加工部１で摺動して加工できる。
【００２５】
また、被加工食材２の食材加工部１での加工に際しては、食材加工部１と対向するようにして各開閉可動部５に設けられている押圧用底部９の存在によって挟持用立設部７に掛けた指が直接食材加工部１に触れることはない。
【００２６】
従って、指が押圧用底部９によって保護された状態で被加工食材２を食材加工部１で安全に加工することができる。
【００２７】
また、被加工食材２が非常に細いものであったり、非常に小さいものであった場合には、開閉可動部５の各先端部の対向内面に設けた挟持押さえ付け用先端挟持面10で挟持すると、被加工食材２を挟持し易い。そして、トング様体Ａの基端側を前記食材加工部１に対して上にし先端部を下にして、この挟持押さえ付け用先端挟持面10で挟持した被加工食材２を食材加工部１へ押さえ付けて摺動して加工することができ、また、この際、トング様体Ａの各挟持用立設部７に掛けた指は、食材加工部１から離れた位置に存することになるので、このようにして使用した場合においても、指が直接食材加工部１に触れずに安全に加工することができる。
【００２８】
また、例えば、前記挟持押さえ付け用先端挟持面10は、前記各開閉可動部５の前記各挟持用立設部７の先端部に対向状態に夫々形成され、先端側程対向間隔が広くなるハ字状に対向する傾斜面11とすれば、ハ字状に対向する挟持押さえ付け用先端挟持面10で被加工食材２を挟持しつつ食材加工部１へ押さえ付けた際の押さえ付け力が被加工食材２に良好に加わることになる。
【００２９】
また、例えば、対向内面を前記挟持面６とした前記開閉可動部５の前記挟持用立設部７の外面を指掛け面12とし、この指掛け面12に指を掛けて閉動操作若しくは把持したこの指の下部に前記押圧用底部９を配設した構成とすれば、指掛け面12に指を掛けると、その下部に押圧用底部９が配設しているので、加工時に指が直接食材加工部１に触れることが防止される。
【００３０】
また、例えば、基部同士を枢着した前記開閉可動部５の対向内側に前記挟持用立設部７を設けると共に、この挟持用立設部７に連設して外側へ突出状態に前記押圧用底部９を設け、この押圧用底部９の外端部に折り返し立設部13を連設した構成として、前記挟持用立設部７の外面に指を掛けて把持したこの指を覆う指保護凹部14を前記開閉可動部５に設ければ、挟持用立設部７の外面に指を掛けると、この指を指保護凹部５内に配設することができるので、加工時に指が直接食材加工部１に触れることが防止される。
【００３１】
また、例えば、前記開閉可動部５の前記挟持用立設部７の対向内面に夫々設けた前記挟持面６は、対向間隔が下端側程広がる傾斜挟持面15を有する形状に形成すれば、例えば、被加工食材２がショウガやニンニクなどの丸い形をしたものであった場合に、この丸形の被加工食材２を対向間隔が下端側程広がる傾斜挟持面15で安定的に押さえ付けることができる。
【実施例】
【００３２】
本発明の具体的な実施例について図面に基づいて説明する。
【００３３】
本実施例は、おろし器のすりおろし部やスライサーの薄切り部などの食材加工部１に対して被加工食材２を摺動して加工する際に、この被加工食材２を挟持若しくは押さえ付ける食材加工用補助具であって、基端側に枢着部３を設けて先端側を開閉挟持部４とするトング様体Ａで構成している。
【００３４】
本実施例のトング様体Ａは、図１，図２に示すような左右一対の開閉可動部５から成り、一方（図２中右側）の開閉可動部５の基端部には枢着軸16を一体的に設け、他方（図２中左側）の開閉可動部５の基端部には筒状の軸受17を一体的に設けて、この枢着軸16を軸受17に軸支した前記枢着部３を構成し、この枢着部３を介して左右一対の開閉可動部５が開閉回動する前記開閉挟持部４を構成している。
【００３５】
また、枢着部３は、筒状の前記軸受17の一部を切欠してこの切欠部18に前記枢着軸16に一体的に連設する一方の開閉可動部５の基端部を挿通配設する構成としている。この切欠部18は開閉回動ストッパとして機能するもので、この切欠部18に一方の開閉可動部５の基端部の移動が許容される範囲内で開閉挟持部４（一対の開閉可動部５）の開閉回動するように構成している。また、本実施例では、この回動ストッパ機能により、トング様体Ａが片手で閉動操作しづらくなるほど各開閉可動部５が開動しないように開動範囲を規制している。
【００３６】
また、本実施例の各開閉可動部５は合成樹脂製とし、その対向内側に前記挟持用立設部７を設けると共に、この挟持用立設部７は、前記食材加工部１上部の摺動面の面方向（食材加工部１上での被加工食材２の摺動方向）と直交する方向に立設する形状として、この挟持様立設部７の対向内面を被加工食材２を挟持するための挟持面６としている。
【００３７】
具体的には、前記枢着部３の回転軸方向と直交する方向に帯板状の前記挟持用立設部７を突設して、この挟持用立設部７の対向内面を前記挟持面６とし対向外面を指掛け面12としている。
【００３８】
また、挟持用立設部７は、その長さ方向の中間部が最も外方へ向かって凹となる湾曲板形状に形成して、この挟持用立設部７の対向内面の前記挟持面６も、その長さ方向の中間部が最も外方へ向かって凹となる凹湾曲面形状に形成している。
【００３９】
従って、この挟持面６の長さ方向の中間部付近では、比較的太いものや幅のあるものを挟持できる前記開閉挟持部４を構成している（図４参照）。
【００４０】
また、各開閉可動部５の対向外側に、前記食材加工部１と対向する対向面を押さえ付け面８とした押圧用底部９を設けている。
【００４１】
具体的には、挟持用立設部７の下部に、この挟持用立設部７と略直角に連設して外側へ突出する平帯板状の前記押圧用底部９を一体的に設け、この帯板状の押圧用底部９の下面を押さえ付け面８として、この押さえ付け面８で食材加工部１上に載置した被加工食材２を上方から押さえ付けて摺動し加工できるように構成している。
【００４２】
また、この押圧用底部９の、前記挟持用立設部７との連設部を除いた外端部の全範囲に、上方へ折り返したような形状の折り返し立設部13を一体的に連設した構成として、この連設する挟持用立設部７（の指掛け面12）と押圧用底部９（の上面）と折り返し立設部13とが上部開口型の箱形をなすように構成し、この箱形部分を前記挟持用立設部７の指掛け面12に指を掛けて把持したこの指を覆う指保護凹部14としている。従って、指を指保護凹部14内に収容しつつ挟持用立設部７の指掛け面12に掛けることができ、この指保護凹部14内に指が収容保護された状態で安全に食材加工部１での加工を行えるようにしている。
【００４３】
また、前記挟持面６と、前記押さえ付け面８には、被加工食材２に対して食い込み係止する係止突起19を多数散在状態にして一体的に突設して、この係止突起19が被加工食材２に食い込み係止することにより、挟持面６若しくは押さえ付け面８に対する被加工食材２の位置ズレが防止されて挟持若しくは押さえ付けた被加工食材２を食材加工部１上で良好に摺動し加工し得るように構成している。
【００４４】
また、本実施例では、前記開閉可動部５の前記挟持用立設部７の対向内面に夫々設けた前記挟持面６は、対向間隔が下端側程広がる傾斜挟持面15を有する形状に形成している。
【００４５】
具体的には、挟持用立設部７の挟持面６は、中ほどより上側は鉛直方向に立設し、中ほどより下側は、対向間隔が下端側程広がる前記傾斜挟持面15となる形状に形成している。
【００４６】
また、傾斜挟持面15は、対向外側に向かって凹となる凹湾曲面に形成し、これによりショウガやニンニクなどの丸い形をした被加工食材２を挟持したり押さえ付けたりし易い構成としている。
【００４７】
また、この傾斜挟持面15にも、被加工食材２に食い込み係止する係止突起19を一体的に突設して、被加工食材２の位置ズレを防止できる構成としている。
【００４８】
また、本実施例では、この開閉可動部５の各先端部の対向内面に、前記トング様体Ａの基端側を前記食材加工部１に対して上にしこの先端部を下にした際、この食材加工部１上の被加工食材２を挟持しつつ食材加工部１へ押さえ付ける挟持押さえ付け用先端挟持面10を設けている。
【００４９】
具体的には、前記各開閉可動部５の前記各挟持用立設部７の挟持面６の先端部を、その先端側程対向間隔が広くなる平面視ハ字状に対向する傾斜面11に形成し、この対向する各傾斜面11を前記挟持押さえ付け用先端挟持面10としている。
【００５０】
また、この傾斜面11には、開閉可動部５の長さ方向に沿った長さを有する複数本（図面では三本）の滑り止め突起20を一体的に突設している。
【００５１】
従って、前記トング様体Ａの基端側を前記食材加工部１に対して上にし先端部を下にして、食材加工部１上の被加工食材２を挟持押さえ付け用先端挟持面10で挟持しつつ食材加工部１へ押さえ付けて摺動すると、この被加工食材２の摺動方向に対して複数の滑り止め突起20が滑り止め作用を発揮して、被加工食材２に対し挟持押さえ付け用先端挟持面10が滑りにくく、被加工食材２を良好に摺動操作して加工できる構成としている。
【００５２】
次に、本実施例の使用方法を説明する。
【００５３】
被加工食材２が長ネギやキュウリなどの長細いものの場合は、図４，図５に示すように、一対の各開閉可動部５に対し、被加工食材２を立設状態にして各開閉可動部５間に貫通配設し、挟持用立設部７の指掛け面12に指を掛けて摺動操作することにより各挟持面６間に挟持し、食材加工部１上で摺動操作し加工すると良い。
【００５４】
また、被加工食材２が大根のように太くて各開閉可動部５間に挟持することが困難なもの場合は、図６に示すように、食材加工部１上に横に寝かせて載置した被加工食材２を、この食材加工部１との対向面である押圧用底部９の押さえ付け面８で上方から押さえ付け、挟持用立設部７の指掛け面12に指を掛けてトング様体Ａを食品加工部１上で摺動操作し加工すると良い。
【００５５】
この際、図示したように被加工食材２を予め短冊状にカットしておくと、なお加工を行い易くなるので好ましい。
【００５６】
また、被加工食材２が各開閉可動部５の挟持面６間に挟持しにくいような非常に細いものや非常に小さいものの場合は、開閉可動部５の各先端部の対向内面に設けた挟持押さえ付け用先端挟持面10で挟持し易い。そして、トング様体Ａの基端側を前記食材加工部１に対して上にし先端部を下にして、この挟持押さえ付け用先端挟持面10で挟持した被加工食材２を食材加工部１へ押さえ付けつつ摺動操作して加工することができる。
【００５７】
また、被加工食材２がショウガやニンニクのように丸い形をしているものの場合は、図８に示すように、挟持面６の下側の傾斜挟持面15で押さえ付け、被加工食材２を食材加工部１へ押さえ付けるようにして摺動し加工すると良い。
【００５８】
従って、本実施例によれば、上記のような四通りの使い方を被加工食材２の大きさ・形状に応じて適当に使い分けでき、しかもどの使い方においても、指先は指保護凹部14内に配設した保護状態で行うことができるので、指先を傷付けることがない。
【００５９】
尚、本発明は、本実施例に限られるものではなく、各構成要件の具体的構成は適宜設計し得るものである。
【符号の説明】
【００６０】
１  食材加工部
２  被加工食材
３  枢着部
４  開閉挟持部
５  開閉可動部
６  挟持面
７  挟持用立設部
８  押さえ付け面
９  押圧用底部
10  挟持押さえ付け用先端挟持面
11  傾斜面
12  指掛け面
13  折り返し立設部
14  指保護凹部
15  傾斜挟持面
Ａ  トング様体
【図１】
0005258925.tif 000002
【図２】
0005258925.tif 000003
【図３】
0005258925.tif 000004
【図４】
0005258925.tif 000005
【図５】
0005258925.tif 000006
【図６】
0005258925.tif 000007
【図７】
0005258925.tif 000008
【図８】
0005258925.tif 000009